(57)【特許請求の範囲】
【請求項１】
基台上に固定され、固定側金型を取り付けるための固定プラテンと、
可動側金型を取り付けるための可動プラテンと、
前記固定プラテンの固定側金型取付面の反対側の面に対向して配置された射出装置と、  該射出装置のバレルの先端に設けられた射出ノズルを前記固定側金型に接合させるためのノズルタッチ機構と、
を備える射出成形機において、
前記固定側金型と前記射出ノズルの接合部を照射する照明装置を、前記固定プラテン、前記基台、前記射出ノズル、前記射出ノズルの周辺に設けられたヒートカバーのいずれかに設け、
作業者による前記射出成形機の操作や、前記射出成形機の動作に応じて、前記照明装置の点灯又は消灯の少なくとも一方を行う、
ことを特徴とする射出成形機。
【請求項２】
前記固定プラテンは、前記固定側金型取付面の反対側の面において、前記固定側金型と前記射出ノズルの接合部の周囲から、前記固定側金型と前記射出ノズルの接合部に向けて凹形状とされている
ことを特徴とする請求項１に記載の射出成形機。
【請求項３】
前記射出ノズルが前進を開始すると、前記照明装置が点灯される、
ことを特徴とする請求項１又は２に記載の射出成形機。
【請求項４】
前記固定プラテンが、射出装置側表面から、前記固定側金型と前記射出ノズルの接合部付近に貫通する明かり取り穴を備え、
前記照明装置は前記明かり取り穴の前記射出装置側表面から光を照射する、
ことを特徴とする請求項１〜３のいずれかに記載の射出成形機。
【発明の詳細な説明】
【技術分野】
【０００１】
本発明は射出成形機に関し、特に射出成形機の射出部におけるノズルタッチを確認するための照明装置に関する。
【背景技術】
【０００２】
射出成形機においては、固定プラテン、可動プラテン、及び可動プラテンの背後に配置されたリアプラテンが複数のタイバーによって結合されており、タイバーに沿って可動プラテン及びリアプラテンが移動する。また、固定プラテンと可動プラテンの互いに対向する加工面には、それぞれ金型が取りつけられており、型締及び型開き動作を行う。  
また、射出ユニットを固定プラテンに対して前後進させ、射出ユニットのシリンダ先端の射出ノズルを、固定プラテンの樹脂注入口に密着させて、スクリュー回転により溶融した樹脂をシリンダ前方に備え、スクリューを前進移動させることによって、溶融した樹脂を金型内に射出している。
【０００３】
図１は、射出ユニットを含んだ射出成形機Ｍの全体構成を示した図であり、射出部Ｍｉの射出シリンダ部１０の先端の射出ノズル１２を固定プラテン３３の樹脂注入口に密着させている状態を示している。  
射出成形機Ｍは、図示しない基台上に型締部Ｍｃ及び射出部Ｍｉを備える。射出部Ｍｉは樹脂材料（ペレット）を加熱溶融し、当該溶融樹脂を金型４０のキャビティ内に射出するものである。型締部Ｍｃは主に金型４０（４０ａ，４０ｂ）の開閉を行うものである。
【０００４】
まず、射出部Ｍｉを説明する。射出シリンダ部１０の先端には射出ノズル１２が取り付けられ、射出シリンダ部１０内には、スクリュー１３が挿通されている。スクリュー１３は、サーボモータＭ２により回転させられ、サーボモータＭ１によって、スクリュー１３の軸方向に移動させられる。なお、符号１４は射出シリンダ部１０に樹脂を供給するホッパである。
【０００５】
次に、型締部Ｍｃを説明する。型締部Ｍｃは、リアプラテン３１、可動プラテン３０、トグル３２、基台２上に固定された固定プラテン３３、クロスヘッド３４、エジェクタ機構３５を備える。リアプラテン３１と固定プラテン３３とは複数本のタイバー４１で連結されており、可動プラテン３０はトグル３２にガイドされるように配置されている。可動プラテン３０に可動側金型４０ａ，固定プラテン３３に固定側金型４０ｂが取り付けられている。クロスヘッド３４を前進（図１における右方向に移動）させると、可動プラテン３０が前進させられて型閉じが行われる。
【０００６】
上記射出成形機を用いた成形動作を説明する。可動プラテン前後進モータを正方向に回転させると、ボールねじ軸３８が正方向に回転させられ、ボールねじ軸３８に螺合したクロスヘッド３４は前進（図１における右方向）させられ、可動プラテン３０が前進させられる。
【０００７】
可動プラテン３０に取り付けられた可動側金型４０ａが固定側金型４０ｂと接触すると（型閉状態）、リアプラテン位置補正を行った後に、型締工程に移行する。型締工程では、可動プラテン前後進モータを更に正方向に駆動することで、金型４０に型締力が発生する。そして、射出部Ｍｉに設けられた射出装置前後進機構のサーボモータＭ１が駆動されてスクリュー１３の軸方向に前進することにより、金型４０内に形成されたキャビティ空間に溶融樹脂が充填される。型開きを行う場合、可動プラテン前後進モータを逆方向に駆動すると、ボールねじ軸３８が逆方向に回転させられる。それに伴って、クロスヘッド３４が後退し、トグル機構が屈曲する方向に作動し、可動プラテン３０がリアプラテン３１の方向に後退する。型開工程が完了すると、エジェクタピン（図示せず）が可動側金型４０ａの内面から突きだされ、可動側金型４０ａ内の成形品は可動側金型４０ａより突き出される。
【０００８】
これらの射出成形機において、金型４０の交換作業を行う場合には、射出ノズル１２と金型４０との接合部が正しい位置関係で接合されるように調整する必要がある。また、成形中においても、射出ノズル１２と金型４０との接合部における樹脂漏れ等がないことを確認する必要がある。
しかしながら、金型４０と射出ノズル１２との接合部付近は、金型固定盤の内部にあるために暗く、目視が困難であることが多い。
【０００９】
これらの目視が困難であるという点を解決するための手段として、図９に示されているような射出成形機において、固定プラテンと射出ノズルとの隙間から懐中電灯などの簡易照明を用いて接合部を照らす方法が用いられている。また、特許文献１には、図１０に示されているように、金型と射出ノズルの接合部を明るくするための明かり取り穴を固定プラテンに設ける技術が開示されており、特許文献２には、射出ノズル先端の状態をカメラを用いて画像解析する技術が開示されている。
【先行技術文献】
【特許文献】
【００１０】
【特許文献１】特開平５−３２９８９９号公報
【特許文献２】特開平６−３２８５２７号公報
【発明の概要】
【発明が解決しようとする課題】
【００１１】
懐中電灯等の簡易照明器具を用いて接合部を照らす技術は、作業者自身が懐中電灯等を保持、操作して作業をする場合が多く、この場合に作業者の負担が増加する。また、仮に懐中電灯等の簡易照明器具を射出成形機内に置き忘れた場合、樹脂材料から発生するガスで懐中電灯等が腐食したり、射出成形機の他の部位と干渉して破損したり、高温となる部材からの熱影響などにより火災の原因となる可能性がある。
【００１２】
特許文献１に開示されている固定プラテンに開ける明かり取り穴は、より明るくするためには穴を大きくすることが求められるが、強度上の理由からあまり大きくすることは困難である。また、射出成形機の設置場所としてはさまざまな場所に設置されることが想定されるため、周囲の環境によっては十分な照度が得られないことがあるという問題点があった。
特許文献２に開示されている技術は、カメラの設置等に手間がかかることに加え、作業者による射出成形機の操作とは別に、カメラ等の操作も行わなければならないため、作業も煩雑となる。さらに、射出成形機の操作とは別にカメラの操作も行っているため、カメラの操作を忘れてしまうという可能性もあった。
【００１３】
そこで、本発明の目的は、射出ノズルと金型の接合部が正しい位置関係にあることや樹脂漏れ等がないことの確認を容易に行うことができる射出成形機を提供することである。
【課題を解決するための手段】
【００１４】
本願の請求項１に係る発明では、基台上に固定され、固定側金型を取り付けるための固定プラテンと、可動側金型を取り付けるための可動プラテンと、前記固定プラテンの固定側金型取付面の反対側の面に対向して配置された射出装置と、該射出装置のバレルの先端に設けられた射出ノズルを前記固定側金型に接合させるためのノズルタッチ機構と、を備える射出成形機において、前記固定側金型と前記射出ノズルの接合部を照射する照明装置を、前記固定プラテン、前記基台、前記射出ノズル、前記射出ノズルの周辺に設けられたヒートカバーのいずれかに設け、作業者による前記射出成形機の操作や、前記射出成形機の動作に応じて、前記照明装置の点灯又は消灯の少なくとも一方を行う、ことを特徴とする射出成形機が提供される。
【００１５】
すなわち、請求項１に係る発明では、射出成形機に照明装置を設けて、金型と射出ノズルの接合部に光を照射するため、射出成形機の設置場所の環境に左右されることがなく十分な照度を得ることができる。また、射出成形機の他の部位との干渉や、樹脂材料から発生するガスや高温となる箇所からの熱影響を受けない場所に照明装置を設置するために、照明装置の腐食や破損事故を防止し、火災の原因となることを避けることができる。さらに、照明装置の点灯及び消灯を作業者による操作によらず、射出成形機の操作や射出成形機の動作に応じて行うようにするため、作業者が照明装置の調整、保持、操作を行う必要がなく、作業者の負担が軽減される。さらに、照明装置の設置場所として、固定プラテン、基台、射出ノズル、ヒートカバーのいずれかに設けるようにしたため、射出成形機の他の部位との干渉や、樹脂材料から発生するガスや高温となる箇所からの熱影響を受けない場所に照明装置が設置される。
【００１６】
本願の請求項２に係る発明では、前記固定プラテンは、前記固定側金型取付面の反対側の面において、前記固定側金型と前記射出ノズルの接合部の周囲から、前記固定側金型と前記射出ノズルの接合部に向けて凹形状とされていることを特徴とする請求項１に記載の射出成形機が提供される。
【００１７】
本願の請求項３に係る発明では、前記射出ノズルが前進を開始すると、前記照明装置が点灯されることを特徴とする請求項１又は２に記載の射出成形機が提供される。
すなわち、請求項３に係る発明では、射出ノズルが前進を開始すると照明装置が点灯されるため、作業者が照明装置の調整、保持、操作を行う必要がなく、作業者の負担が軽減される。
【００１８】
本願の請求項４に係る発明では、前記固定プラテンが、射出装置側表面から、前記固定側金型と前記射出ノズルの接合部付近に貫通する明かり取り穴を備え、前記照明装置は前記明かり取り穴の前記射出装置側表面から光を照射することを特徴とする請求項１〜３のいずれかに記載の射出成形機が提供される。
すなわち、請求項４に係る発明では、明かり取り穴を設けて明かり取り穴から照明装置で光を照射するようにしているため、固定側金型と射出ノズルの接合部付近の、照明装置が照明するべき箇所に、より効果的に光を照射することが可能となる。
【発明の効果】
【００１９】
本発明により、射出ノズルと金型の接合部が正しい位置関係にあることや樹脂漏れ等がないことの確認を容易に行うことができる射出成形機を提供できる。
【図面の簡単な説明】
【００２０】
【図１】射出成形機の全体構成を示す図である。
【図２】第１の実施形態の照明装置の固定方法を示す図である。
【図３】第２の実施形態の照明装置の固定方法を示す図である。
【図４】第３の実施形態の照明装置の固定方法を示す図である。
【図５】第４の実施形態の照明装置の固定方法を示す図である。
【図６】本発明の、明かり取り穴のない場合の照明装置の配置例を示す図である。
【図７】本発明の、明かり取り穴を備えた場合の照明装置の配置例を示す図である。
【図８】本発明における照明装置の点灯、消灯の制御方法を示すフローチャートである。
【図９】射出ノズルと金型との接合部の従来の一般的な例を示す図である。
【図１０】射出ノズルと金型との接合部において明かり取り穴を備えた従来例を示す図である。
【発明を実施するための形態】
【００２１】
以下、本発明の実施の形態について図に基づいて説明する。射出成形機Ｍの全体構成は、背景技術として示された図１と同様であるため説明を省略する。
射出成形機Ｍにおける射出動作を正しく行うためには、射出ノズル１２と金型４０とが正しい位置関係に配置されている必要がある。本発明では、射出ノズル１２と金型４０の接合部が正しい位置関係にあることの確認や、樹脂漏れ等がないことの確認を容易にするために射出成形機Ｍに照明装置２１を設ける。また、この照明装置２１は、射出成形機の他の部位との干渉や、樹脂材料から発生するガスや高温となる部材からの影響を受けない場所に設置する。
【００２２】
以下、本発明の実施の形態について、図面に基づいて説明する。
図２は第１の実施の形態を示した図であり、図２（ａ）は、固定プラテン３３とシリンダ１１とを上面から見た平面図、図２（ｂ）は、固定プラテン３３をシリンダ１１側から見た正面図である。固定プラテン３３には、外部からの光を取り入れることが可能な明かり取り穴６１が設けられている。また、固定プラテン３３には、照明装置２１として、取付け部材２２を介して照明部材２３が設けられており、照明部材２３によって固定プラテン３３と射出ノズル１２との接合部付近を明るくしている。
【００２３】
図３は第２の実施の形態を示した図であり、図３（ａ）は、固定プラテン３３とシリンダ１１とを上面から見た平面図、図３（ｂ）は、固定プラテン３３をシリンダ１１側から見た正面図である。本実施の形態においては、照明装置２１として、基台２に取付け部材２２を備え、取付け部材２２の他方の先端部に照明部材２３が設けられており、第１の実施の形態と同様に、照明部材２３によって固定プラテン３３と射出ノズル１２との接合部付近を明るくしている。
【００２４】
図４は第３の実施の形態を示した図であり、図４（ａ）は、固定プラテン３３とシリンダ１１とを上面から見た平面図、図４（ｂ）は、固定プラテン３３をシリンダ１１側から見た正面図である。本実施の形態においては、射出ノズル１２に、照明装置２１として、取付け部材２２を介して照明部材２３が設けられており、照明部材２３によって固定プラテン３３と射出ノズル１２との接合部付近を明るくしている。
【００２５】
図５は第４の実施の形態を示した図であり、図５（ａ）は、固定プラテン３３とシリンダ１１とを上面から見た平面図、図５（ｂ）は、固定プラテン３３をシリンダ１１側から見た正面図である。本実施の形態においては、射出ノズル１２の周囲に設けられたヒートカバー１６に、照明装置２１として、取付け部材２２を介して照明部材２３が設けられており、照明部材２３によって固定プラテン３３と射出ノズル１２との接合部付近を明るくしている。
【００２６】
これらの実施の形態においては、照明装置２１の設置箇所を、作業者から見て奥側（図３〜図６における右側）に配置している。このように照明装置２１を配置すると、作業者が手前の照明装置２１が設置されていない箇所から、射出ノズル１２と金型４０との接合部付近を見やすくなる。しかし、必ずしも照明装置２１は作業者から見て奥側に配置しなければならないわけではなく、手前側（図３〜図６における左側）に配置することもできる。
【００２７】
また、図６及び図７には、固定プラテン３３に明かり取り穴６１を設けた場合と設けない場合の例として、図６は明かり取り穴６１のない場合、図７は明かり取り穴６１のある場合を示している。図６に示されているように、明かり取り穴６１のない場合には、スクリュー１３や射出ノズル１２で邪魔にならないような位置に照明装置２１を配置し、図７に示されているように、明かり取り穴６１のある場合には、明かり取り穴６１のシリンダ１１側表面側に照明装置２１を配置して光を照射するようにすることができる。なお、図６及び図７においては、照明装置２１を固定プラテン３３に設けた例において説明したが、照明装置２１を、射出成形機Ｍを構成するその他の部材に設けた場合においては、照明装置２１の設置箇所を適宜変更することが可能である。
【００２８】
次に、本発明における照明装置２１の点灯、消灯の制御方法を、図８のフローチャートに従って説明する。
・（ステップＳＡ１）射出ノズル１２の前進が開始したかどうかを判定する。射出ノズル１２の前進が開始した場合（ＹＥＳ）は、ステップＳＡ２に進み、それ以外の場合（ＮＯ）は、終了する。
・（ステップＳＡ２）照明装置２１を点灯する。
・（ステップＳＡ３）タイマ１の計時が完了したかどうかを判定し、計時が完了していない場合（ＮＯ）はステップＳＡ３を繰り返し、計時が完了した場合（ＹＥＳ）にステップＳＡ４に進む。タイマ１は、射出ノズル１２の前進が開始してからの最小点灯時間を規定したものである。
【００２９】
・（ステップＳＡ４）射出ノズル１２が前進端に到達したかどうかを判定する。到達した場合（ＹＥＳ）は、ステップＳＡ５に進み、到達していない場合（ＮＯ）は、ステップＳＡ１に戻る。
・（ステップＳＡ５）タイマ２の計時が完了したかどうかを判定し、計時が完了していない場合（ＮＯ）はステップＳＡ５を繰り返し、計時が完了した場合（ＹＥＳ）にステップＳＡ６に進む。タイマ２は、射出ノズル１２の前進端終了後に確認するための時間を規定したものである。
・（ステップＳＡ６）照明装置２１を消灯して終了する。
【００３０】
これらの実施の形態においては、照明装置２１の設置箇所として、固定プラテン３３、基台２、射出ノズル１２、射出ノズル１２の周囲に設けられたヒートカバー１６に設けた例を説明したが、照明装置２１の設置箇所としては、これらの箇所に限定されるものではなく、適切に射出ノズル１２と金型４０との接合部を照明することができれば、射出成形機のその他の箇所に設置することもできる。
【００３１】
また、本実施の形態においては、射出ノズル１２が前進開始したことを検知して照明装置２１が点灯し、射出ノズル１２が前進端に到達した後、タイマ２の計時が完了した後に消灯しているが、例えば、射出ノズルを前進させるためのスイッチに連動して点灯したり、点灯のみ自動で行い、消灯については手動で行うこともできる。
さらに、射出ノズル１２からの樹脂の飛散を防ぐパージゲートを閉じた状態で、射出ノズル前進手動スイッチに連動して照明装置２１を点灯させ、射出ノズル前進停止後に、パージゲートを開いた状態では点灯を継続し、パージゲートを再び閉じた時点で自動で消灯させることもできる。
【符号の説明】
【００３２】
Ｍ    射出成形機
Ｍｉ  射出部
Ｍｃ  型締部
Ｍ１，Ｍ２，Ｍ３，Ｍ４  サーボモータ
２    基台
１１  シリンダ
１２  射出ノズル
１３  スクリュー
１４  ホッパ
１６  ヒートカバー
２１  照明装置
２２  取付け部材
２３  照明部材
３０  可動プラテン
３１  リアプラテン
３２  トグル
３３  固定プラテン
３４  クロスヘッド
３８  ボールねじ軸
４０  金型
４０ａ  可動側金型
４０ｂ  固定側金型
４１  タイバー
６１  明かり取り穴
【図１】
0005607775.tif 000002
【図２】
0005607775.tif 000003
【図３】
0005607775.tif 000004
【図４】
0005607775.tif 000005
【図５】
0005607775.tif 000006
【図６】
0005607775.tif 000007
【図７】
0005607775.tif 000008
【図８】
0005607775.tif 000009
【図９】
0005607775.tif 000010
【図１０】
0005607775.tif 000011